(57)【要約】【課題】軸受以外の部材の設計変更を必要とすることなく、グリース潤滑される２列以上の組合せ転がり軸受における両端の転がり軸受の転動体よりも内側の軸受空間での温度上昇を抑制することである。【解決手段】３列に組み合わせたアンギュラ玉軸受１ａ、１ｂ、１ｃの各外輪３の上半分側に、その両端面と外径面とに連なる通気路としての凹溝７ａ、７ｂ、７ｃを設け、両端に並べられたアンギュラ玉軸受１ａ、１ｃのボール４よりも内側の軸受空間６ａ、６ｃと、内側に並べられたアンギュラ玉軸受１ｂの軸受空間６ｂを、これらの凹溝７ａ、７ｂ、７ｃで外部と通気させることにより、軸受以外の部材の設計変更を必要とすることなく、各軸受空間６ａ、６ｂ、６ｃで温度上昇した空気を外部に排出し、これらの各軸受空間６ａ、６ｂ、６ｃでの温度上昇を抑制できるようにした。【選択図】図１
2006329324.tif 000002
【特許請求の範囲】
【請求項１】
内輪と外輪の間の転動体が配された軸受空間にグリースが充填される複数の転がり軸受を２列以上に並べて組み合わせた組合せ転がり軸受において、前記２列以上に並べて組み合わせた両端の転がり軸受の転動体よりも内側の軸受空間を外部と通気する通気路を、前記内輪または外輪の軌道輪に設けたことを特徴とする組合せ転がり軸受。
【請求項２】
前記軌道輪に設けた通気路を、軌道輪の端面と軸受空間と反対側の径面とに連なる凹溝とした請求項１に記載の組合せ転がり軸受。
【請求項３】
前記複数の転がり軸受の外輪を固定輪として水平な回転軸を支持するものとし、前記凹溝をこの固定輪とした外輪の上半分側で、その端面と外径面とに連なるものとした請求項２に記載の組合せ転がり軸受。
【請求項４】
前記凹溝が前記外輪の上半分側に来るように位置決めする手段を設けた請求項３に記載の組合せ転がり軸受。
【請求項５】
前記組合せ転がり軸受が、前記複数の転がり軸受を３列以上に並べて組み合わせたものである請求項１乃至４のいずれかに記載の組合せ転がり軸受。
【請求項６】
前記組合せ転がり軸受がアンギュラ玉軸受を含むものである請求項１乃至５のいずれかに記載の組合せ転がり軸受。
【請求項７】
前記組合せ転がり軸受が工作機械の主軸を支持するものである請求項１乃至６のいずれかに記載の組合せ転がり軸受。
【発明の詳細な説明】
【技術分野】
【０００１】
本発明は、転がり軸受を２列以上に並べて組み合わせた組合せ転がり軸受に関する。
【背景技術】
【０００２】
工作機械や各種回転機械の主軸を高精度で支持する軸受には、アンギュラ玉軸受等の転がり軸受を２列以上に並べて組み合わせた組合せ転がり軸受が使用されることがある。この種の組合せ転がり軸受には、グリース潤滑されるものとオイルミスト潤滑されるものとがあり、オイルミスト潤滑されるものでは、各転がり軸受の軸受空間が、隣接する軸受の軸受空間や、間座の部分でハウジングや軸に設けられる通気孔で外部と通気され、軸受空間にオイルミストが供給されるが、グリース潤滑されるものでは、各転がり軸受の軸受空間にグリースが充填されるので、両端の転がり軸受の転動体よりも内側の軸受空間が外部との通気を遮断される。
【発明の開示】
【発明が解決しようとする課題】
【０００３】
上述したグリース潤滑され、両端の転がり軸受の転動体よりも内側の軸受空間が外部との通気を遮断される組合せ転がり軸受では、外部との通気を遮断された軸受空間の温度上昇が大きくなり、軸受空間に充填されたグリースが劣化しやすくなる問題がある。また、転がり軸受が３列以上に並べられた組合せ転がり軸受では、内側に並べられた転がり軸受の温度上昇が大きくなり、両端に並べられた転がり軸受との間に熱膨張の差による予圧量のばらつきが生じて、高精度な軸支持に支障を来たしたり、軸受寿命が短くなったりする問題がある。
【０００４】
このような外部との通気を遮断された軸受空間での温度上昇を抑制するためには、オイルミスト潤滑される組合せ転がり軸受のように、間座の部分でハウジングや軸に通気孔を設けることが考えられるが、転がり軸受の間に間座を配置するのが必須になり、かつ、軸受以外のハウジングや軸等の部材を設計変更する必要があるので、軸受のユーザ側での設計が制約される問題がある。
【０００５】
そこで、本発明の課題は、軸受以外の部材の設計変更を必要とすることなく、グリース潤滑される２列以上の組合せ転がり軸受における両端の転がり軸受の転動体よりも内側の軸受空間での温度上昇を抑制することである。
【課題を解決するための手段】
【０００６】
上記の課題を解決するために、本発明は、内輪と外輪の間の転動体が配された軸受空間にグリースが充填される複数の転がり軸受を２列以上に並べて組み合わせた組合せ転がり軸受において、前記２列以上に並べて組み合わせた両端の転がり軸受の転動体よりも内側の軸受空間を外部と通気する通気路を、前記内輪または外輪の軌道輪に設けた構成を採用した。
【０００７】
すなわち、２列以上に並べて組み合わせた両端の転がり軸受の転動体よりも内側の軸受空間を外部と通気する通気路を、内輪または外輪の軌道輪に設けることにより、軸受以外の部材の設計変更を必要とすることなく、内側の軸受空間で温度上昇した空気を通気路から外部に排出して、これらの内側の軸受空間での温度上昇を抑制し、軸受空間に充填されたグリースの劣化を防止できるようにした。
【０００８】
前記軌道輪に設けた通気路を、軌道輪の端面と軸受空間と反対側の径面とに連なる凹溝とすることにより、通気路を安価で簡単に形成することができる。
【０００９】
前記複数の転がり軸受の外輪を固定輪として水平な回転軸を支持するものでは、前記凹溝をこの固定輪とした外輪の上半分側で、その端面と外径面とに連なるものとすることにより、通気路としての凹溝がグリース等で閉塞されるのを防止することができる。
【００１０】
前記組合せ転がり軸受が、前記複数の転がり軸受を３列以上に並べて組み合わせたものでは、内側に並べられた転がり軸受の温度上昇を抑制して、両端に並べられた転がり軸受との間に熱膨張の差による予圧量のばらつきが生じないようにすることができる。
【００１１】
前記組合せ転がり軸受は、アンギュラ玉軸受を含むものとすることができる。
【００１２】
前記組合せ転がり軸受は、工作機械の主軸を支持するものに好適である。
【発明の効果】
【００１３】
本発明の組合せ転がり軸受は、２列以上に並べて組み合わせた両端の転がり軸受の転動体よりも内側の軸受空間を外部と通気する通気路を、内輪または外輪の軌道輪に設けたので、軸受以外の部材の設計変更を必要とすることなく、内側の軸受空間で温度上昇した空気を通気路から外部に排出して、これらの内側の軸受空間での温度上昇を抑制し、軸受空間に充填されたグリースの劣化を防止することができる。
【００１４】
前記軌道輪に設けた通気路を、軌道輪の端面と軸受空間と反対側の径面とに連なる凹溝とすることにより、通気路を安価で簡単に形成することができる。
【００１５】
前記複数の転がり軸受の外輪を固定輪として水平な回転軸を支持するものでは、前記凹溝をこの固定輪とした外輪の上半分側で、その端面と外径面とに連なるものとすることにより、通気路としての凹溝がグリース等で閉塞されるのを防止することができる。
【００１６】
前記組合せ転がり軸受が、前記複数の転がり軸受を３列以上に並べて組み合わせたものでは、内側に並べられた転がり軸受の温度上昇を抑制して、両端に並べられた転がり軸受との間に熱膨張の差による予圧量のばらつきが生じないようにし、軸支持精度の低下や軸受寿命の低下を防止することができる。
【発明を実施するための最良の形態】
【００１７】
以下、図面に基づき、本発明の実施形態を説明する。図１および図２は、第１の実施形態を示す。この組合せ転がり軸受は工作機械の主軸１１を支持するものであり、図１に示すように、アンギュラ玉軸受１ａ、１ｂ、１ｃが３列に並べて組み合わされ、各アンギュラ玉軸受１ａ、１ｂ、１ｃは、内輪２と外輪３の間にボール４が保持器５で保持された軸受空間６にグリース（図示省略）が充填され、グリース潤滑されるようになっている。
【００１８】
前記組合せ転がり軸受は、各アンギュラ玉軸受１ａ、１ｂ、１ｃの内輪２が工作機械の主軸１１に嵌合され、外輪３がハウジング１２に固定されており、図２に示すように、固定輪としての各外輪３の上半分側に、両端面と外径面とに連なる通気路としての凹溝７ａ、７ｂ、７ｃが設けられ、両端に並べられたアンギュラ玉軸受１ａ、１ｃのボール４よりも内側の軸受空間６ａ、６ｃと、内側に並べられたアンギュラ玉軸受１ｂの軸受空間６ｂが外部と通気されるようになっている。
【００１９】
また、前記凹溝７ａが設けられた外輪３の端面には、位置決め用のピン穴８が設けられ、各凹溝７ａ、７ｂ、７ｃが上半分側に来るように、各外輪３がハウジング１２に位置決めされるようになっている。この外輪３の周方向の位置決めは、キー溝等の他の手段で行なってもよい。
【００２０】
したがって、軸受以外の部材の設計変更を必要とすることなく、前記各軸受空間６ａ、６ｂ、６ｃで温度上昇した空気が各凹溝７ａ、７ｂ、７ｃを通して外部に排出され、各軸受空間６ａ、６ｂ、６ｃでの温度上昇が抑制される。この実施形態では、各アンギュラ玉軸受１ａ、１ｂ、１ｃは、それぞれの外輪３に同じ形態で各凹溝７ａ、７ｂ、７ｃが設けられているので、互換性を持たせることができる。
【００２１】
図３は、第２の実施形態を示す。この組合せ転がり軸受は、基本的な構成は第１の実施形態のものと同じであり、両端のアンギュラ玉軸受１ａ、１ｃの外輪３にのみ各凹溝７ａ、７ｂ、７ｃが設けられ、各軸受空間６ａ、６ｂ、６ｃが外部と通気されている点のみが異なる。この実施形態では、両端のアンギュラ玉軸受１ａ、１ｃにのみ互換性を持たせることができる。
【００２２】
図４は、第３の実施形態を示す。この組合せ転がり軸受も、基本的な構成は第１の実施形態のものと同じであり、内側のアンギュラ玉軸受１ｂの外輪３の両端面に凹溝７ａ、７ｂが設けられ、両端のアンギュラ玉軸受１ａ、１ｃの外輪３の外径面に、これらの凹溝７ａ、７ｂと連なる凹溝７ｃが設けられて、各軸受空間６ａ、６ｂ、６ｃが外部と通気されている点が異なる。この実施形態でも、両端のアンギュラ玉軸受１ａ、１ｃにのみ互換性を持たせることができる。
【００２３】
上述した各実施形態では、同じアンギュラ玉軸受を３列に並べて組み合わせたが、組み合わせる転がり軸受はアンギュラ玉軸受に限定されることはなく、他の玉軸受、ころ軸受、円錐ころ軸受、複列の転がり軸受等を、同じもの同士または異なるものと組み合せることもでき、各転がり軸受はシール付きのものとしてもよい。なお、転がり軸受は２列または４列以上で組み合わせたものとしてもよく、必要に応じて転がり軸受の間に間座を配置してもよい。
【００２４】
また、上述した各実施形態では、両端の転がり軸受の内側の軸受空間と内側の転がり軸受の軸受空間を、外輪に設けた通気路としての凹溝で組合せ転がり軸受の両側から外部と通気させるようにしたが、片側のみで外部と通気させるようにしてもよく、通気路は内輪側に設けることもできる。
【図面の簡単な説明】
【００２５】
【図１】第１の実施形態の組合せ転がり軸受を示す縦断面図
【図２】図１のアンギュラ玉軸受の外輪を示す一部省略斜視図
【図３】第２の実施形態の組合せ転がり軸受を示す縦断面図
【図４】第３の実施形態の組合せ転がり軸受を示す縦断面図
【符号の説明】
【００２６】
１ａ、１ｂ、１ｃ  アンギュラ玉軸受
２  内輪
３  外輪
４  ボール
５  保持器
６ａ、６ｂ、６ｃ  軸受空間
７ａ、７ｂ、７ｃ  凹溝
８  ピン穴
１１  主軸
１２  ハウジング
【図１】
2006329324.tif 000003
【図２】
2006329324.tif 000004
【図３】
2006329324.tif 000005
【図４】
2006329324.tif 000006